(57)【要約】【課題】  小型化を図ると共に安定してスキューを調整した状態に保持できるようにする。【解決手段】  ディスクテーブル１５に装着された光ディスク２に対して垂直なベース１１の基準面３５ａと、基準面３５ａに沿ってガイド軸１８を移動させる調整ネジ３４と、コイル部３７ａから延出した一方のアーム３７ｂがベース１１に固定される固定部３８となりコイル部３７ａから延出した他方のアーム３７ｃがガイド軸１８を基準面３５ａに押圧する押圧部３９となる捻りコイルバネ３７とを有し、調整ネジ３４を進退させて、ガイド軸１８を基準面３５ａに沿って移動させ、ガイド軸１８に支持された光ピックアップ１３が出射する光ビーム３の光軸Ｌを、ディスクテーブル１５に装着された光ディスク２に対して垂直となるように調整する。【選択図】  図５
2005116010.tif 000002
【特許請求の範囲】
【請求項１】
ベースと、
上記ベースに設けられ、光ディスクを回転するディスク回転駆動機構と、
上記ベースに設けられ、上記ディスク回転駆動機構により回転されている光ディスクに対して光ビームを照射し上記光ディスクで反射された戻りの光ビームを検出する光ピックアップと、
上記光ピックアップを上記ディスク回転駆動機構に装着された光ディスクの径方向に移動可能に支持するガイド軸を有するガイド機構と、
上記ディスク回転駆動機構に装着された光ディスクに対して上記光ピックアップから出射された光ビームの光軸が垂直となるように上記ガイド軸の傾きを調整するスキュー調整機構とを備え、
上記スキュー調整機構は、上記ディスク回転駆動機構に装着された光ディスクに対して垂直な基準面と、上記基準面に沿って上記ガイド軸を移動させる調整ネジと、コイル部から延出した一方のアームが上記ベースに固定される固定部となり上記コイル部から延出した他方のアームが上記ガイド軸を上記基準面に押圧する押圧部となる捻りコイルバネとを有し、
上記調整ネジを進退させて、上記ガイド軸を上記基準面に沿って移動させ、上記ガイド軸に支持された光ピックアップが出射する光ビームの光軸を、上記ディスク回転駆動機構に装着された光ディスクに対して垂直となるように調整可能なディスクドライブ装置。
【請求項２】
上記捻りコイルバネは、上記コイル部が上記ベースの挿入片に挿入されている請求項１記載のディスクドライブ装置。
【請求項３】
上記スキュー調整機構は、上記ガイド軸の各端部に設けられている請求項１記載のディスクドライブ装置。
【発明の詳細な説明】
【技術分野】
【０００１】
本発明は、光ディスクの信号記録面に対して光ピックアップから出射された光ビームの光軸を垂直に調整することができるスキュー調整機構を備えたディスクドライブ装置に関する。
【背景技術】
【０００２】
情報信号が高密度に記録される光ディスクでは、光ピックアップから出射された光ビームの光軸がディスク回転駆動機構のディスクテーブルに装着された光ディスクの信号記録面に対して垂直ではなく傾いていると、収差が発生して正確な情報信号の記録や再生を行うことができなくなる。そこで、高密度に情報信号を記録することができる光ディスクを記録媒体に用いるディスクドライブ装置には、光ピックアップが出射する光ビームの光軸をディスク回転駆動機構のディスクテーブルに装着された光ディスクの信号記録面に対して垂直に調整するスキュー調整機構が設けられたものがある。このスキュー調整機構を用いた調整は、通常、ディスクドライブ装置の製造段階で行われる。
【０００３】
この種のスキュー調整機構としては、特許文献１に示すようなものがある。具体的に、特許文献１にあるスキュー調整機構は、光ピックアップのメインガイドシャフトの各端部を光ピックアップの光軸方向に付勢するコイルスプリングと、メインガイドシャフトの端面と直交し且つメカシャーシの主面と直交するように当該メカシャーシに設けられたストッパ面と、コイルスプリングと協働しつつメインガイドシャフトをストッパ面に当接させると共に、光軸方向におけるメインガイドシャフトの位置及び傾きを調整するためのスキュー調整ネジと、このスキュー調整ネジよってメインガイドシャフトがストッパ面に当接された状態と調整されたメインガイドシャフトの位置及び傾きとが保持されるようにスキュー調整ネジと螺合する雌ネジ部とで構成されている。
【０００４】
このスキュー調整機構では、スキュー調整ネジとコイルスプリングとが協働して、メカシャーシに設けられたストッパ面にガイドシャフトを当接させると共に、ガイドシャフトの位置及び傾きを調整するものなので、簡易的な構成であるにも拘わらず、タンジェンシャル方向におけるメインガイドシャフトの位置決め、並びにスキュー調整を確実に行うことができ、良好な光学特性を得ることができる。しかしながら、この特許文献１のスキュー調整機構は、コイルスプリングを付勢部材として用いているため、スペース効率が悪く小型化が困難である。
【０００５】
同種のスキュー調整機構としては、特許文献２に示すようなものがある。特許文献２に示すスキュー調整機構は、サブガイドシャフトの端部の小径部を光ピックアップより照射されるレーザ光の光軸方向に付勢する板バネと、サブガイドシャフトを板バネを介して支持するメカシャーシに形成され、サブガイドシャフトのタンジェンシャル方向ヘの移動を拘束する長穴部と、光ピックアップの光軸方向におけるサブガイドシャフトの位置及び傾きを板バネの付勢力に抗しつつ調整するためのスキュー調整ネジと、スキュー調整ネジと螺合するメカシャーシに形成された雌ネジ部とで構成されている。
【０００６】
このスキュー調整機構では、サブガイドシャフトを光ピックアップのほぼ光軸方向に付勢する機能と、ガイドシャフトの軸方向（スラスト方向）への移動を拘束する機能との２つの機能が、１つの板バネにより実現されるので、構成部品の削減並びに構造の簡略化が図られ、装置の生産性を向上させることができる。しかしながら、この特許文献２のスキュー調整機構は、付勢部材に板バネを使用しており、耐久性に乏しい。したがって、長期間が経過する内に板バネのバネ力が弱くなり、調整されたスキューがくるってしまうおそれがある。
【０００７】
【特許文献１】特開２００２−１５４３４号公報
【特許文献２】特開２００２−４２４３２号公報
【発明の開示】
【発明が解決しようとする課題】
【０００８】
本発明は、以上のような問題点に鑑みてなされたものであり、その目的は、小型化を図ると共に安定してスキューを調整した状態に保持できるようにしたディスクドライブ装置を提供することにある。
【課題を解決するための手段】
【０００９】
本発明に係るディスクドライブ装置は、ベースと、ベースに設けられ、光ディスクを回転するディスク回転駆動機構と、ベースに設けられ、ディスク回転駆動機構により回転されている光ディスクに対して光ビームを照射し光ディスクで反射された戻りの光ビームを検出する光ピックアップと、光ピックアップをディスク回転駆動機構に装着された光ディスクの径方向に移動可能に支持するガイド軸を有するガイド機構と、ディスク回転駆動機構に装着された光ディスクに対して光ピックアップから出射された光ビームの光軸が垂直となるようにガイド軸の傾きを調整するスキュー調整機構とを備える。そして、スキュー調整機構は、ディスク回転駆動機構に装着された光ディスクに対して垂直な基準面と、基準面に沿ってガイド軸を移動させる調整ネジと、コイル部から延出した一方のアームがベースに固定される固定部となりコイル部から延出した他方のアームがガイド軸を基準面に押圧する押圧部となる捻りコイルバネとを有する。このスキュー調整機構は、調整ネジを進退させて、捻りコイルバネの押圧部によって基準面と調整ネジの先端に押圧されているガイド軸を基準面に沿って移動させ、ガイド軸に支持された光ピックアップが出射する光ビームの光軸を、ディスク回転駆動機構に装着された光ディスクに対して垂直となるように調整することができる。
【発明の効果】
【００１０】
本発明によれば、捻りコイルバネを用いてガイド軸の端部を基準面と調整ネジの端面に押し当てられた状態で、調整ネジを進退させてガイド軸の傾きを調整することができる。この捻りコイルバネは、板バネ等に比べ耐久性に優れることから、長期に亘ってスキュー調整後の状態を維持することができる。
【発明を実施するための最良の形態】
【００１１】
以下、本発明を適用した光ディスクドライブ装置について図面を参照して説明する。図１及び図２に示すように、本発明を適用した光ディスクドライブ装置１は、ベース１１を有し、このベース１１に、光ディスク２を回転するディスク回転駆動機構１２と、このディスク回転駆動機構１２に装着された光ディスク２に対して光ビームを照射して、光ディスク２で反射された戻りの光ビームを検出する光ピックアップ１３が設けられている。
【００１２】
ディスク回転駆動機構１２は、光ディスク２の回転駆動源となるスピンドルモータ１４が駆動軸１４ａをベース１１の一方の主面側に突出させるようにして配設されており、この駆動軸１４ａには、情報信号の記録や再生をする光ディスク２が装着されるディスクテーブル１５が一体的に取り付けられている。このディスクテーブル１５は、中央に光ディスク２のセンタ孔２ａに係合して光ディスク２のセンタリングを図るセンタリング部１５ａが設けられ、このセンタリング部１５ａの周囲に、光ディスク２を受けるディスク受け部１５ｂが設けられている。ディスクテーブル１５は、光ディスク２がセンタリング部１５ａにセンタ孔２ａを係合させて装着されると、装着された光ディスク２を例えば線速度一定で回転する。
【００１３】
このディスクテーブル１５に装着された光ディスク２の信号記録面に光ビームを出射する光ピックアップ１３は、内部に半導体レーザから出射された所定波長の光ビームを対物レンズ１６で集光して光ディスク２の信号記録面に照射し、光ディスク２の信号記録面で反射された戻りの光ビームを光検出器で検出する光学系が設けられている。また、対物レンズ１６は、２軸アクチュエータに保持されており、この２軸アクチュエータは、対物レンズ１６を、フォーカシングサーボ信号に基づいて、光ビームの光軸方向に駆動変位し、トラッキングエラー信号に基づいて、光ディスク２の記録トラックに対して直交する方向に駆動変位する。
【００１４】
以上のような光ピックアップ１３は、ディスクテーブル１５に装着された光ディスク２の径方向に移動するためのガイド機構１７により移動可能に取り付けられている。このガイド機構１７は、ディスクテーブル１５に装着された光ディスク２の径方向に沿った互いに平行な一対のガイド軸１８，１８を有する。一対のガイド軸１８，１８は、光ピックアップ１３の両端を直線移動可能に支持する。ガイド軸１８は、光ピックアップ１３を支持する主軸部１８ａの端部が細く形成され、ベース１１に取り付けるための取付軸部１８ｂとなっている。光ピックアップ１３には、各端部に、一対の支持片１９，１９が設けられ、各端部に設けられた一対の支持片１９，１９には、軸線を一致させた軸孔２１，２１が形成されている。光ピックアップ１３は、軸孔２１，２１にガイド軸１８，１８の主軸部１８ａが挿通されることによって、ガイド軸１８，１８にガイドされて摺動しながらディスクテーブル１５に装着された光ディスク２の径方向に移動する。そして、ガイド機構１７に移動可能に支持された光ピックアップ１３の対物レンズ１６は、ベース１１に形成された開口部２２より外部に臨まされている。
【００１５】
なお、以上のようなガイド機構１７に支持される光ピックアップ１３は、図示しないが、ステッピングモータ等の駆動源に接続された送りネジによって、ガイド機構１７にガイドされながら、ディスクテーブル１５に装着された光ディスク２の径方向に移動する。
【００１６】
ところで、図２に示すように、光ディスクドライブ装置１では、光ピックアップ１３の対物レンズ１６で集光されて光ディスク２の信号記録面に照射される光ビームを収差を発生させること無く光ディスク２の信号記録面に結像させる必要があり、このため、光ピックアップ１３より出射される光ビーム３の光軸Ｌは、光ディスク２の信号記録面に対して垂直にする必要がある。そこで、光ディスクドライブ装置１には、図３乃至図５に示すように、光ビーム３の光軸Ｌの傾きを調整するためのスキュー調整機構３１が設けられている。このスキュー調整機構３０は、図１に示すように、一対のガイド軸１８，１８の各端部に設けられている。なお、これら４つのスキュー調整機構３１は、同様な構成を有すため、一を例に取り説明する。
【００１７】
このスキュー調整機構３１は、図３に示すように、ベース１１の開口部２２の近傍に形成され、ガイド軸１８が取り付けられる取付片３２を有する。この取付片３２は、図３に示すように、ベース１１を切り起こし折曲して形成されたベース１１と一体的な片であり、ベース１１の他方の面側に折曲された折曲片３２ａと、ベース１１の主面と平行な平行片３２ｂと、ベース１１の主面に対して垂直な、すなわちディスクテーブル１５に装着された光ディスク２の信号記録面に対して垂直な垂直片３２ｃとで構成されている。
【００１８】
平行片３２ｂには、ガイド軸１８の傾きを調整するための調整孔３３が形成されている。この調整孔３３は、ネジ孔であり、ガイド軸１８の傾きを調整するための調整部材となる穴付き止めネジ等の調整ネジ３４が取り付けられる。この調整ネジ３４は、挿入端となる先端面が略円弧面３４ａをなすように形成されている。
【００１９】
垂直片３２ｃは、ベース１１の主面に対して垂直、すなわちディスクテーブル１５に装着された光ディスク２の信号記録面に対して垂直となるように形成されている。また、この垂直片３２ｃは、その主面が光ピックアップ１３の移動方向を向くように形成されている。この垂直片３２ｃには、ガイド軸１８の端部である取付軸１８ｂが取り付けられる取付孔３５が形成されている。この取付孔３５は、長辺をディスクテーブル１５に装着された光ディスク２の信号記録面に対して垂直となるように形成された略矩形の長孔で構成され、ガイド軸１８の移動量を規制する。この取付孔３５の一方の長辺の端面は、ガイド軸１８の取付軸１８ｂの周面が突き当てられる基準面３５ａとなる。また、取付孔３５の短辺は、ガイド軸１８の取付軸１８ｂの直径と略同じとなるように形成され、ディスクテーブル１５に装着された光ディスク２の信号記録面と平行な横方向のがたつきを防止している。なお、取付軸部１８ｂの基端部であり、主軸部１８ａの端面は、取付軸部１８ｂが取付孔３５に挿入されたとき、取付孔３５の周囲に突き当てられる突き当て部となる。
【００２０】
この垂直片３２ｃは、折曲片３２ａとの間に間隙３６が設けられるように形成されており、この間隙３６には、捻りコイルバネ３７が配設される。この捻りコイルバネ３７は、間隙３６に配設されるコイル部３７ａと、このコイル部３７ａから延出した一対のアーム部３７ｂ，３７ｃとから構成されている。一方のアーム部３７ｂは、略Ｃ字状に折曲されており、平行片３２ｂに固定するための固定部３８となっている。また、他方のアーム部３７ｃは、巻き戻し方向の押圧力Ｆによって取付孔３５に挿通されたガイド軸１８の取付軸部１８ｂを押圧するための押圧部３９となっている。この付勢部材となる捻りコイルバネ３７は、コイル部３７ａが間隙３６に挿入され、一方のアーム部３７ｃの固定部３８がコイル部３７ａとで平行片３２ｂを挟み込むようにして固定され、他方のアーム部３７ｃの押圧部３９が取付孔３５に挿入されたガイド軸１８の取付軸部１８ｂを、取付孔３５の基準面３５ａ及び調整孔３３に螺合された調整ネジ３４の先端部に押圧するように取り付けられる。
【００２１】
以上のように構成されるスキュー調整機構３１は、ディスクテーブル１５、光ピックアップ１３、ガイド軸１８等の構成部品がベース１１に取り付けられた後、スキューの調整に用いられる。すなわち、図４に示すように、ディスクテーブル１５、光ピックアップ１３、ガイド軸１８等の構成部品がベース１１に取り付けられたとき、平行片３２ｂの調整孔３３には、調整ネジ３４が取り付けられている。また、捻りコイルバネ３７は、コイル部３７ａが間隙３６に挿入され、一方のアーム部３７ｃの固定部３８がコイル部３７ａとで平行片３２ｂを挟み込むようにして固定され、他方のアーム部３７ｃの押圧部３９が取付孔３５ｃに挿入されたガイド軸１８の取付軸部１８ｂを、取付孔３５の基準面３５ａ及び調整孔３３に螺合された調整ネジ３４の先端部に押圧するように取り付けられる。この図４に示す状態にあっても、捻りコイルバネ３７の押圧部３９は、巻き戻し方向の押圧力Ｆによって、ガイド軸１８の取付軸部１８ｂを、取付孔３５の基準面３５ａ及び調整孔３３に螺合された調整ネジ３４の先端部に押圧している。ここで、調整ネジ３４は、先端面が略円弧面３４ａで形成されており、この略円弧面３４ａで、捻りコイルバネ３７の押圧部３９により押圧されているガイド軸１８の取付軸部１８ｂを、取付孔３５の基準面３５ａに押し当てるようにしている。
【００２２】
この状態で、光ディスクドライブ装置１には、ディスクテーブル１５に、フォーカシング、トラッキング、スキュー調整等に用いる調整用の光ディスク２が装着され、記録再生動作が行われる。個々で行われるスキュー調整は、光ピックアップ１３からの出力値を見ながら、この出力値が収差が０となる最適値とるように調整ネジ３４を進退させることによって行われる。例えば、図５に示すように、ガイド軸１８の取付軸部１８ｂをベース１１に近接させる図５中矢印Ｄ方向に移動させる場合には、捻りコイルバネ３７の押圧部３９の押圧力Ｆに抗して調整ネジ３４を押し進めることによって、ガイド軸１８の取付軸部１８ｂを、取付孔３５の基準面３５ａに押し当てながらベース１１に近接する図５中矢印Ｄ方向に移動させることができる。
【００２３】
このスキュー調整機構３１は、図１に示すように、ガイド軸１８の各端部に設けられている。したがって、スキュー調整は、ガイド軸１８の各端部に設けられたスキュー調整機構３１を用いて、ベース１１に対して近接離間する図４及び図５中矢印Ｄ方向及び反矢印Ｄ方向に移動させることによって行われることになる。また、光ディスクドライブ装置１は、ガイド軸１８の各端部に設けられているスキュー調整機構３１を用いて、ガイド軸１８全体をベース１１に対して近接離間する方向に移動させることで、フォーカシングの粗調整を行うこともできる。
【００２４】
以上のようなスキュー調整機構３１では、ガイド軸１８の取付軸部１８ｂを、調整ネジ３４の先端面と取付孔３５の基準面３５ａの２点に突き当てるようにしていることから、がたつきが無くなり、調整ネジ３４を進退させることによって正確なスキュー調整を行うことができる。また、このスキュー調整機構３１は、付勢部材として板バネではなく捻りコイルバネ３７を用いることで、耐久性が向上し、長期に亘ってスキュー調整がされた状態を維持することができる。また、このスキュー調整機構３１は、取付片３２がベース１１と一体的に形成されていることから、部品点数の削減することができ、光ディスクドライブ装置１の小型化を図ることができる。
【００２５】
なお、スキュー調整機構３１は、図６に示すように構成してもよい。すなわち、図６に示すスキュー調整機構３１は、捻りコイルバネ３７のコイル部３７ａが挿入される挿入片４１が取付片３２の折曲片３２ａに一体的に形成されている。捻りコイルバネ３７は、コイル部３７ａが折曲片３２ａに形成された挿入片４１に挿入されることで、取付位置がずれることが防止される。また、図６に示すように、ガイド軸１８の取付軸部１８ｂが突き当てられる基準面３５ａは、垂直片３２ｃに形成された取付孔３５の一方の長辺の端面にする他、立ち上がり片４２の側面を基準面４２ａとしてもよい。また、この立ち上がり片４２は、先端側が折曲されてガイド軸１０の移動量を規制する規制部４２ｂとなる。
【００２６】
なお、以上の例では、スキュー調整機構３１を構成する取付片３２がベース１１と一体的に形成されている場合を説明したが、本発明では、取付片３２をベース１１と別部材としてもよい。
【図面の簡単な説明】
【００２７】
【図１】本発明を適用した光ディスクドライブ装置の平面図である。
【図２】本発明を適用した光ディスクドライブ装置の側面図である。
【図３】スキュー調整機構の分解斜視図である。
【図４】スキュー調整前のスキュー調整機構の状態を説明する側面図である。
【図５】スキュー調整後のスキュー調整機構の状態を説明する側面図である。
【図６】スキュー調整機構の変形例を説明する斜視図である。
【符号の説明】
【００２８】
１  光ディスクドライブ装置、１１  ベース、１２  ディスク回転駆動機構、１３  光ピックアップ、１５  ディスクテーブル、１６  対物レンズ、１８  ガイド軸、１９  支持片、２１  軸孔、２２  開口部、３１  スキュー調整機構、３２  取付片、３２ｂ  平行片、３２ｃ  垂直片、３３  調整孔、３４  調整ネジ、３４ａ  円弧面、３５  取付孔、３５ａ  基準面、３６  間隙、３７  捻りコイルバネ、３８  固定部、３９  押圧部
【図１】
2005116010.tif 000003
【図２】
2005116010.tif 000004
【図３】
2005116010.tif 000005
【図４】
2005116010.tif 000006
【図５】
2005116010.tif 000007
【図６】
2005116010.tif 000008